【手続補正書】
【提出日】平成19年5月17日(2007.5.17)
【手続補正１】
【補正対象書類名】明細書
【補正対象項目名】特許請求の範囲
【補正方法】変更
【補正の内容】
【特許請求の範囲】
【請求項１】
通過帯域の異なる複数の送受信系の送信系と受信系を切り換えるスイッチ回路を備えた高周波スイッチモジュールであって、
電極パターンと誘電体層から構成される積層体に、前記電極パターンを用いて形成された通過帯域の異なるフィルタ回路を備え、前記フィルタ回路の伝送線路は、複数の誘電体層に形成されたライン電極をスルーホールで接続して形成され、通過帯域の異なるフィルタ回路を構成するライン電極は積層方向に重なり合わず、前記積層体の異なる領域に分かれて形成されたことを特徴とする高周波スイッチモジュール。
【請求項２】
フィルタ回路は送信信号を通過させるフィルタであって、伝送線路とコンデンサとなる電極パターンで形成されており、もって前記フィルタ回路を積層体に内蔵するとともに、更に前記積層体に帯域が異なる受信信号を通過させるＳＡＷフィルタを実装したことを特徴とする請求項１に記載の高周波スイッチモジュール。
【請求項３】
前記フィルタ回路がローパスフィルタであって、通過帯域の異なるフィルタ回路を構成するコンデンサ用のコンデンサ電極は積層方向に重なり合わず、前記積層体の異なる領域に分かれて形成されたことを特徴とする請求項１又２に記載の高周波スイッチモジュール。
【請求項４】
複数の送受信系に信号をスイッチ回路へ分波する分波回路を備え、前記分波回路はノッチフィルタ回路、バンドパスフィルタ回路、ローパスフィルタ回路、ハイパスフィルタ回路を組み合わせて構成されたことを特徴とする請求項１乃至３のいずれかに記載の高周波スイッチモジュール。
【請求項５】
前記分波回路は電極パターンを用いて形成され、分波回路を構成する電極パターンと、前記フィルタ回路を構成する電極パターンは異なる誘電体層に形成されており、前記分波回路の伝送線路を形成するライン電極と、前記フィルタ回路の伝送線路を形成するライン電極との間の誘電体層には分波回路を構成するコンデンサ用のコンデンサ電極パターンが配置されていることを特徴とする請求項４に記載の高周波スイッチモジュール。
【請求項６】
通過帯域の異なる複数の送受信系を扱う高周波スイッチモジュールであって、前記複数の送受信系に信号を分波する分波回路と、前記各送受信系のそれぞれに送信系と受信系を切り換えるスイッチ回路とを少なくとも有し、前記分波回路またはスイッチ回路の少なくとも一部は、電極パターンと誘電体層から構成される積層体内の前記電極パターンにより構成され、前記電極パターンは、積層体のグリーンシートを上から見たとき、一方の送受信系を主に上部の領域に形成し、他方の送受信系を主に下部の領域に形成したことを特徴とする高周波スイッチモジュール。
【請求項７】
前記分波回路はＬＣ回路で構成され、前記スイッチ回路はダイオードと伝送線路を主構成とし、前記分波回路のＬＣ回路及び前記スイッチ回路の伝送線路は、電極パターンと誘電体層との積層体内に、前記電極パターンにより構成され、前記ダイオードは前記積層体上に配置して構成されていることを特徴とする請求項６に記載の高周波スイッチモジュール。
【請求項８】
前記積層体の一辺沿いに一方の送受信系の送信端子と受信端子を配置し、対向する一辺沿いに他方の送受信系の送信端子と受信端子を配置し、且つ、前記それぞれの送信端子及び受信端子はグランド端子に挟まれて設けられていることを特徴とする請求項６または７に記載の高周波スイッチモジュール。
【手続補正２】
【補正対象書類名】明細書
【補正対象項目名】０００７
【補正方法】変更
【補正の内容】
【０００７】
【課題を解決するための手段】
本発明は、通過帯域の異なる複数の送受信系の送信系と受信系を切り換えるスイッチ回路を備えた高周波スイッチモジュールであって、電極パターンと誘電体層から構成される積層体に、前記電極パターンを用いて形成された通過帯域の異なるフィルタ回路を備え、前記フィルタ回路の伝送線路は、複数の誘電体層に形成されたライン電極をスルーホールで接続して形成され、通過帯域の異なるフィルタ回路を構成するライン電極は積層方向に重なり合わず、前記積層体の異なる領域に分かれて形成されたことを特徴とする高周波スイッチモジュールである。
本発明において、前記フィルタ回路は送信信号を通過させるフィルタであって、伝送線路とコンデンサとなる電極パターンで形成されており、もって前記フィルタ回路を積層体に内蔵するとともに、更に前記積層体に帯域が異なる受信信号を通過させるＳＡＷフィルタを実装するのが好ましい。
前記フィルタ回路がローパスフィルタであって、通過帯域の異なるフィルタ回路を構成するコンデンサ用のコンデンサ電極を積層方向に重なり合わせずに、前記積層体の異なる領域に分かれて形成するのが好ましい。
本発明においては、更に複数の送受信系に信号をスイッチ回路へ分波する分波回路を備え、前記分波回路はノッチフィルタ回路、バンドパスフィルタ回路、ローパスフィルタ回路、ハイパスフィルタ回路を組み合わせて構成するのが好ましい。
前記分波回路は電極パターンを用いて形成され、分波回路を構成する電極パターンと、前記フィルタ回路を構成する電極パターンは異なる誘電体層に形成されており、前記分波回路の伝送線路を形成するライン電極と、前記フィルタ回路の伝送線路を形成するライン電極との間の誘電体層には分波回路を構成するコンデンサ用のコンデンサ電極パターンを配置するのが好ましい。
【手続補正３】
【補正対象書類名】明細書
【補正対象項目名】０００８
【補正方法】変更
【補正の内容】
【０００８】
また本発明は、通過帯域の異なる複数の送受信系を扱う高周波スイッチモジュールであって、前記複数の送受信系に信号を分波する分波回路と、前記各送受信系のそれぞれに送信系と受信系を切り換えるスイッチ回路とを少なくとも有し、前記分波回路またはスイッチ回路の少なくとも一部は、電極パターンと誘電体層から構成される積層体内の前記電極パターンにより構成され、前記電極パターンは、積層体のグリーンシートを上から見たとき、一方の送受信系を主に上部の領域に形成し、他方の送受信系を主に下部の領域に形成した高周波スイッチモジュールである。
ここで、前記分波回路はＬＣ回路で構成され、前記スイッチ回路はダイオードと伝送線路を主構成とし、前記分波回路のＬＣ回路及び前記スイッチ回路の伝送線路は、電極パターンと誘電体層との積層体内に、前記電極パターンにより構成され、前記ダイオードは前記積層体上に配置して構成されていることが望ましい。また、積層体の一辺沿いに一方の送受信系の送信端子と受信端子を配置し、対向する一辺沿いに他方の送受信系の送信端子と受信端子を配置し、且つ、前記それぞれの送信端子及び受信端子はグランド端子に挟まれて設けられていることが望ましい。
【手続補正４】
【補正対象書類名】明細書
【補正対象項目名】００１２
【補正方法】変更
【補正の内容】
【００１２】
アンテナＡＮＴに接続される分波回路部分は、２つのノッチフィルタ回路が主回路となっている。つまり、伝送線路ＬＦ１とコンデンサＣＦ１で一つのノッチフィルタ回路を構成し、伝送線路ＬＦ２とコンデンサＣＦ２でもう一つのノッチフィルタ回路を構成している。そして、一つのノッチフィルタ回路には、アースに接続されるコンデンサＣＦ３が接続されている。このコンデンサＣＦ３は、分波特性のローパスフィルタ特性を向上させる目的で接続されている。また、もう一つのノッチフィルタ回路には、アースに接続される伝送線路ＬＦ３と、コンデンサＣＦ４を直列に接続している。この伝送線路ＬＦ３とコンデンサＣＦ４は、分波特性のハイパスフィルタ特性を向上させる目的で接続されている。
この分波回路は、２つのノッチフィルタ回路のみでも良い。また、この分波回路は、ノッチ回路以外、例えばバンドパスフィルタ回路、ローパスフィルタ回路、ハイパスフィルタ回路などを用いてもよく、これらを適宜組み合わせて構成することも出来る。